(57)【特許請求の範囲】
【請求項１】
食品を収納して加熱する加熱室と、加熱室に高周波を供給する高周波発生装置と、前記加熱室の開口面に対向し操作ピンＡおよび操作ピンＢを有する開閉自在な扉と、前記操作ピンＡの動作に連動し、前記加熱室側方に位置するスイッチ取付板に装着されたレバーＡを介して動作する第一インターロックスイッチと、上記操作ピンＢの動作に連動して、前記加熱室の前板に装着されたピンガイド及び前記スイッチ取付板に装着されたレバーＢを介して動作する第二インターロックスイッチとを備え、前記レバーＡと前記レバーＢは前記スイッチ取付板を中央にしてその両サイドに配置する構成としたことを特徴とする高周波加熱装置。
【発明の詳細な説明】
【０００１】
【発明の属する技術分野】
本発明は、電子レンジ等の高周波加熱装置に関し、特に扉からの高周波の漏洩に関するものである。
【０００２】
【従来の技術】
従来、扉の縦開きタイプの高周波加熱装置は図６に示すように、扉１４の開閉に呼応して高周波電源をＯＮ，ＯＦＦする第一インターロックスイッチ２及び第二インターロックスイッチ３が製品本体に設けられている。
【０００３】
第一インターロック２は扉１４の遊端部に設けられた操作ピンＡ１２と加熱室１０の側方に設けられたスイッチ取付板２０Ｂに装着されたレバーＡ２２Ｂを介して動作し、電気用品取締法で定められた高周波の漏洩値５ｍｗ／ｃｍ２を保証している。
【０００４】
しかしながら、第二インターロックスイッチ３は扉１４に装着されたドアアーム１６Ｂと、スイッチ取付板２０Ｂに装着されたレバーＢ２６Ｂを介して動作するため、現在、規格規制のない電気用品取締法は問題がないが国際規格であるＩＥＣ規格の５ｍｗ／ｃｍ２を保証できない構成になっている。
【０００５】
将来、電気用品取締法もＩＥＣ規格と同じく第一，第二インターロックスイッチ２，３共にＯＦＦ時に高周波の漏洩値が５ｍｗ／ｃｍ２以下の保証が義務づけられる可能性がある。
【０００６】
【発明が解決しようとする課題】
上記従来の構成の如く、ドアアーム１６Ｂが扉１４のヒンジ１１近傍に位置しているため、扉１４の開時における第二インターロックスイッチ３のＯＦＦ時に、扉１４の開きが大きくなり、高周波の漏洩値がＩＥＣ規格の５ｍｗ／ｃｍ２をオーバーすることとなった。
【０００７】
またドアアーム１６Ｂは製品の大きさ等により、位置が変動するためスイッチ組立品としての共用化、小型化ができず商品の省スペース化の障害となっていた。
【０００８】
【課題を解決するための手段】
上記課題を解決するため、本発明は扉の遊端部に設けた操作ピンＡの近傍に操作ピンＢを設け、スイッチ取付板に装着されたレバーＢを介して第二インターロックスイッチを動作させることにより、扉の開時に少ない扉の開きで第二インターロックスイッチをＯＦＦさせることが可能となりＩＥＣ規格を満足させることが可能となった。
【０００９】
また、レバーＢは人が容易に操作できないように加熱室の前板にピンガイドを設け安全設計の対応も行っている。
【００１０】
さらに、レバーＡとレバーＢはスイッチ取付板を中央にしてその両サイドに配置する構成とし、特に製品の奥行き方向に対し、寸法の圧縮が可能となり、省スペースの製品が可能となった。
【００１１】
【発明の実施の形態】
本発明は上記課題を解決するために、食品を収納して加熱する加熱室と、加熱室に高周波を供給する高周波発生装置と、前記加熱室の開口面に対向し操作ピンＡおよび操作ピンＢを有する開閉自在な扉と、前記操作ピンＡの動作に連動し、前記加熱室側方に位置するスイッチ取付板に装着されたレバーＡを介して動作する第一インターロックスイッチと、上記操作ピンＢの動作に連動して、前記加熱室の前板に装着されたピンガイド及び前記スイッチ取付板に装着されたレバーＢを介して動作する第二インターロックスイッチとを備え、レバーＡとレバーＢはスイッチ取付板を中央にしてその両サイドに配置する構成とした。
【００１２】
【実施例】
以下、本発明の実施例を図面に基づいて説明する。
【００１３】
図１は本発明の高周波加熱装置の詳細な構成を示す構成図である。図２は外観斜視図、図３は回路図、図４は要部構成図、図５は他の実施例の要部構成図である。
【００１４】
図２に示す本発明の高周波加熱装置は内部に加熱室１０を備え、加熱室１０の開口部には下部に回動の支点となるヒンジ１１と、遊端部の近傍には第一インターロックスイッチ２を動作させるための操作ピンＡ１２，第二インターロックスイッチ３を動作させるための操作ピンＢ１３が一体形成された扉１４を備えている。また、コントローラ１５の内部にはプリント基板４，リレー５等が内蔵している。
【００１５】
本発明の高周波加熱装置の回路構成について、図３に基づいて説明する。電源１よりの入力は第一インターロックスイッチ２と、第二インターロックスイッチ３よりの信号により、プリント基板４で制御されたリレー５よりインバータ６に供給され高圧電源となり、高周波発生装置により高周波が加熱室に放射される。
【００１６】
また、モニタースイッチ８は第一インターロックスイッチ２が短絡故障した時にヒューズ９をＯＦＦ状態にして高周波発振を停止する役目をになっている。
【００１７】
次に本発明の構成および作用を図１に基づいて説明する。
【００１８】
扉１４は開閉機構用のドアアーム１６と、装置本体側に係止されているドアパネ１７，ローラー１８によって、回動自在に構成されている。
【００１９】
前記操作ピンＡ１２の動き矢印１９は、スイッチ取付板２０に設けられた支点Ａ２１を軸にレバーＡ２２を矢印２３方向に回動させ、第一インターロックスイッチ２と、モニタースイッチ８を動作させる。
【００２０】
また、前記操作ピンＢ１３の動き矢印２４は、スイッチ取付板２０に設けられた支点Ｂ２５を軸にレバーＢ２６を矢印２７方向に回動させ、第二インターロックスイッチ３を動作させる。
【００２１】
本発明では、例えば、図１において、ヒンジ１１とドアアーム１６の扉１４への取付位置が約５０ｍｍに対し、ヒンジ１１と操作ピン１３の位置が２００ｍｍであり、扉１４の動きに対応する操作ピンＢ１３の動きはドアアーム１６の動きの４倍を確保できる。
【００２２】
従って、この構成では、扉１４の遊端部（上端部）が３ｍｍ開いた時に第二インターロックスイッチ３がＯＦＦになるように設定されている。
【００２３】
なお、扉の開時と閉時は逆の動作となる。
【００２４】
本発明では、扉１４の全開時にレバーＢ２６は外部より人が容易に操作できないように安全規格対応でピンガイド２８を設け、ガードされた構造となっている。
【００２５】
このピンガイド２８は図４に示すように、２〜２．５ｍｍ程度のスリット２９が設けられ、操作ピンＢ１３はこのスリット２９を介してレバーＢ２６に動きを伝達している。
【００２６】
ピンガイド２８は一方を加熱室１０の前板３０のＺ字形状部３１に挿入し、他方を前板３０のツメ形状３２で保持するとともに、図４で示すように、扉１４の左右への位置変動に対しても追随できるように、前板３０に矢印３３方向に対しルーズに装着された構造である。
【００２７】
なお、レバーバネ３４はレバーＡ２２，レバーＢ２６を付勢するためのものである。
【００２８】
扉１４に一体形成された操作ピンＢ１３はピンガイド２８のスリット２９に挿入する必要性から先端が２ｍｍ程度の薄肉になるため、本発明では図４に示すようにピンガイド２８の傾斜に沿って根元を三角形状３５で６ｍｍ程度に補強した形状にすることにより、外部からの強い衝撃にも耐えうる構造にした。
【００２９】
次に、レバーＡ２２およびレバーＢ２６とスイッチ取付板２０の構成を他の実施例として、図５に示し以下に説明する。スイッチ取付板２０Ａを中央に、両サイドにレバーＡ２２ＡおよびレバーＢ２６Ａを配置した構成とすることにより、特に製品の奥行き寸法が約３０％少なくなり、省スペース化製品が可能となった。
【００３０】
なお、第一インターロックスイッチの動作機構は本発明と従来の構成は同じである。
【００３１】
【発明の効果】
扉１４に設けた操作ピンＢ１３の動作に呼応してピンガイド２７とレバーＢ２６を介して動作する第二インターロックスイッチ３を動作させることにより、扉１４の開時に第二インターロックスイッチ３を即断できるため、高周波漏洩値を５ｍｗ／ｃｍ２以下にすることができ、ＩＥＣ規格を満足させ、より安全な高周波装置を提供できる。
【００３２】
また、レバーＡ２２とレバーＢ２６はスイッチ取付板２０を中央にして両サイドに配置することにより、特に製品の奥行き方向に対し、寸法の圧縮が可能となり、省スペースの製品が可能となった。
【図面の簡単な説明】
【図１】  本発明の一実施例の高周波加熱装置の要部構成図
【図２】  同高周波加熱装置の外観斜視図
【図３】  同高周波加熱装置の回路図
【図４】  同高周波加熱装置の要部構成図
【図５】  本発明の他の実施例の高周波加熱装置の要部構成図
【図６】  従来の高周波加熱装置の要部構成図
【符号の説明】
２  第一インターロックスイッチ
３  第二インターロックスイッチ
７  高周波発生装置（発振器）
１０  加熱室
１２  操作ピンＡ
１３  操作ピンＢ
１４  扉
２０  スイッチ取付板
２２  レバーＡ
２６  レバーＢ
２８  ピンガイド
３０  前板
【図１】
0003653968.tif 000002
【図２】
0003653968.tif 000003
【図３】
0003653968.tif 000004
【図４】
0003653968.tif 000005
【図５】
0003653968.tif 000006
【図６】
0003653968.tif 000007